(57)【要約】【課題】連窓の左右に隣接した縦枠を連結する方立の方立ベースが熱伸びにより波打ち状態に変形することを抑制できるようにする。【解決手段】方立本体５０の室内側部に方立ベース６０をねじ７０で固定して連窓の左右に隣接した縦枠２４，３４を連結する方立４０とし、前記方立本体５０に被係止部５４、方立ベース６０に係止部６２を、係止部６２の室内側面が被係止部５４の室外側面に接することで、方立ベース６０の室内側方向への動きを規制するようにそれぞれ設け、方立ベース６０が加熱により熱伸びした時の方立ベース６０の波打ち状態の変形を係止部６２と被係止部５４とで抑制できるようにする。【選択図】図４
2015063800.tif 000002
【特許請求の範囲】
【請求項１】
２つの窓部が左右に隣接し、その一方の窓部の窓枠と他方の窓部の窓枠とを、両窓の左右に隣接した縦枠を方立で連結することにより形成した連窓であって、
前記方立は、左右に隣接した縦枠の室外側面に接すると共に、被係止部を有した方立本体と、左右に隣接した縦枠の室内側面に接すると共に、係止部を有した方立ベースを備え、
前記方立本体の室内側部に方立ベースをねじで固定することにより、左右に隣接した縦枠を、方立と方立ベースで挟持し、
前記係止部が被係止部に近接対向または係止して配置することにより、火災時に方立ベースが室内側方向に移動しないように規制したことを特徴とする連窓。
【請求項２】
前記方立本体は、左右に隣接した縦枠の室外側面に接する室外側部と、この室外側部に室内側に向けて設けた突出部と、この突出部に設けた被係止部を有し、
前記方立ベースは、左右に隣接した縦枠の室内側面に接する取付面に係止部を室外側に向けて設け、
前記方立ベースを突出部にねじで固定することにより左右に隣接した縦枠を方立と方立ベースで挟持し、
前記係止部の室内側面が前記被係止部の室外側面に接することで、方立ベースの室内側方向への動きを規制するようにした請求項１記載の連窓。
【請求項３】
前記方立ベースの取付面を左右に隣接した縦枠の室内側面に接してねじで固定してある請求項２記載の連窓。
【請求項４】
前記左右の縦枠には室内方向に延びるアングル片を設けてあり、このアングル片を方立ベースとは別体に設け、前記アングル片間に架設したカバー片にねじで両アングル片を固定した請求項１又は２又は３記載の連窓。
【請求項５】
前記方立本体の被係止部と前記方立ベースの係止部は方立の長手方向に連続している請求項１乃至４いずれか１項記載の連窓。
【請求項６】
前記被係止部の室外側面と前記係止部の室内側面は室内外側方向に離隔して近接対向し、
火災時に係止部の室内側面が被係止部の室外側面に接することにより前記方立ベースが大きく波打ち変形しないようにした請求項１乃至５いずれか１項に記載の連窓。
【請求項７】
前記方立ベースの取付面に設けた室外側に向かう突出片と、この突出片に左右方向に向けて設けた係止片とで左右方向に向かう鉤形状の係止部とし、
前記被係止部が突出片の左右方向に向かう面に接することで、被係止部が係止片と室内外側方向に対向するようにした請求項１乃至６いずれか１項記載の連窓。
【発明の詳細な説明】
【技術分野】
【０００１】
本発明は、左右に隣接した２つの窓の窓枠の縦枠相互を方立で連結した連窓に関する。
【背景技術】
【０００２】
従来から知られている連窓としては、２つの窓を左右に隣接し、その２つの窓の窓枠の縦枠相互を方立で連結したものがある。
例えば、特許文献１に開示された連窓が知られている。
この連窓は、図１に示すように、左右に隣接した一方の窓部の窓枠の縦枠１と、他方の窓部の窓枠の縦枠２を方立３で連結している。
方立３は、方立本体４と方立ベース５を備え、方立本体４の左右方向に向かう室外側部４ａを左右の縦枠１，２の室外側面１ａ，２ａにシール材６を介在して接し、方立本体４の室内側部４ｂに方立ベース５をねじ７で固着して方立ベース５を左右の縦枠１，２の室内側面１ｂ，２ｂに押しつけ、左右の縦枠１，２の室内側部と方立ベース５をねじ８でそれぞれ固着して左右の縦枠１，２を方立３で連結している。
【先行技術文献】
【特許文献】
【０００３】
【特許文献１】特許第５１８８４８５号公報
【発明の概要】
【発明が解決しようとする課題】
【０００４】
方立本体４と方立ベース５及び左右の縦枠１，２と方向ベース５は長手方向の同一位置においてねじ７及びねじ８でそれぞれ固定されているが、室内火災が発生した場合、室内に面する方立ベース５が早期に熱せられ、その方立ベース５に熱伸びが発生し、方立ベース５の方立本体４に固定されていない部分が方立本体４と離れるように長手方向に波打ち状態に変形することで、方立ベース５と左右の縦枠１，２の室内側面１ｂ，２ｂとの間に隙間が発生する。
こうなると、隙間が室内と室外の貫通孔となり、防火性能の担保が難しくなる。
また、隙間が発生すると方立ベース５が受けた熱を縦枠１，２に放熱できずに、ますます方立ベース５が熱伸びして波打ち状態に変形し、隙間が大きくなるという悪循環に陥る。
しかも、方立ベース５が受けた熱を放熱できないことで、方立ベース５が早期に溶けることになる。
【０００５】
方立ベース５の波打ち状態の変形を抑制するために、方立本体４と方立ベース５とを固定するねじ７の長手方向の間隔（ピッチ）を小さくすることが考えられるが、このようにするとねじ７の本数が増加すると共に、ねじ締め作業が増えるので、施工コストが増加する。
【０００６】
本発明は、前述の課題を解決するためになされたもので、その目的は、方立本体と方立ベースを固定するねじの方立ベースの長手方向の間隔に関係なく、室内火災時等の方立ベースの波打ち状態の変形を抑制できるようにした連窓とすることである。
【課題を解決するための手段】
【０００７】
本発明は、２つの窓部が左右に隣接し、その一方の窓部の窓枠と他方の窓部の窓枠とを、両窓の左右に隣接した縦枠を方立で連結することにより形成した連窓であって、
前記方立は、左右に隣接した縦枠の室外側面に接すると共に、被係止部を有した方立本体と、左右に隣接した縦枠の室内側面に接すると共に、係止部を有した方立ベースを備え、
前記方立本体の室内側部に方立ベースをねじで固定することにより、左右に隣接した縦枠を、方立と方立ベースで挟持し、
前記係止部が被係止部に近接対向または係止して配置することにより、火災時に方立ベースが室内側方向に移動しないように規制したことを特徴とする連窓である。
【０００８】
本発明の連窓は、前記方立本体は、左右に隣接した縦枠の室外側面に接する室外側部と、この室外側部に室内側に向けて設けた突出部と、この突出部に設けた被係止部を有し、
前記方立ベースは、左右に隣接した縦枠の室内側面に接する取付面に係止部を室外側に向けて設け、
前記方立ベースを突出部にねじで固定することにより左右に隣接した縦枠を方立と方立ベースで挟持し、
前記係止部の室内側面が前記被係止部の室外側面に接することで、方立ベースの室内側方向への動きを規制するようにできる。
【０００９】
本発明の連窓は、前記方立ベースの取付面を左右に隣接した縦枠の室内側面に接してねじで固定することができる。
【００１０】
本発明の連窓は、前記左右の縦枠には室内方向に延びるアングル片を設けてあり、このアングル片を方立ベースとは別体に設け、前記アングル片間に架設したカバー片にねじで両アングル片を固定することができる。
【００１１】
本発明の連窓は、前記方立本体の被係止部と前記方立ベースの係止部は方立の長手方向に連続することができる。
【００１２】
本発明の連窓は、前記被係止部の室外側面と前記係止部の室内側面は室内外側方向に離隔して近接対向し、
火災時に係止部の室内側面が被係止部の室外側面に接することにより前記方立ベースが大きく波打ち変形しないようにできる。
このようにすれば、被係止部を有した方立本体と係止部を有した方立ベースを連結するときに被係止部と係止部が干渉することがなく、被係止部と係止部を設けたことによって施工性を阻害することがない。
【００１３】
本発明の連窓は、前記方立ベースの取付面に設けた室外側に向かう突出片と、この突出片に左右方向に向けて設けた係止片とで左右方向に向かう鉤形状の係止部とし、
前記被係止部が突出片の左右方向に向かう面に接することで、被係止部が係止片と室内外側方向に対向するようにできる。
このようにすれば、方立本体と方立ベースを連結するときに、被係止部を突出片の左右方向に向かう面に接することで位置決めでき、方立本体と方立ベースを簡単に連結できる。
【発明の効果】
【００１４】
本発明によれば、方立ベースの係止部が方立本体の被係止部に係止することで、方立ベースの室内側方向への動きを規制するので、方立本体と方立ベースを固定するねじの方立ベースの長手方向の間隔に関係なく、室内火災時等の方立ベースの波打ち状態の変形を抑制できる。
したがって、左右に隣接した縦枠の室内側面と方立ベースとの間に隙間が生じて室内外側を連通する貫通孔となることを抑制し、防火性能を確保できる。
しかも、方立ベースの熱を左右の縦枠に放熱できるので、方立ベースが早期に溶けることがない。
さらに、方立本体と方立ベースを固定するねじの方立ベースの長手方向の間隔を従来よりも小さくする必要がないので、施工コストが増加することがない。
【図面の簡単な説明】
【００１５】
【図１】従来の連窓における方立による左右の縦枠の連結部の横断面図である。
【図２】本発明の実施の形態を示す連窓の概略正面図である。
【図３】方立による左右の縦枠の連結部の斜視図である。
【図４】図２のＡ−Ａ拡大詳細断面図である。
【図５】図４の被係止部と係止部との部分の拡大図である。
【図６】方立ベースの室内側方向への動きを規制している状態の説明図である。
【図７】本発明の第２の実施の形態を示す方立による左右の縦枠の連結部の横断面図である。
【発明を実施するための形態】
【００１６】
図２に示すように、連窓１０は左右に隣接した一方の窓部１０ａと他方の窓部１０ｂを備えている。
一方の窓部１０ａは窓枠２０にガラス２１を装着した嵌め殺し窓で、他方の窓部１０ｂも窓枠３０にガラス３１を装着した嵌め殺し窓である。
なお、一方の窓部１０ａ、他方の窓部１０ｂは嵌め殺し窓に限ることはない。例えば窓枠２０，３０に障子を引き違いに取り付けた引き違い窓、障子を室内外側に開閉自在に取り付けた開き窓、片引き窓等従来から知られている窓とすることができる。
【００１７】
一方の窓枠２０は、上枠２２と下枠２３と左右の縦枠２４を枠組みしたもので、他方の窓枠３０も同様に、上枠３２と下枠３３と左右の縦枠３４を枠組みしてある。
一方の窓枠２０の他方の縦枠２４と他方の窓枠３０の一方の縦枠３４、つまり左右に隣接した一方の縦枠と他方の縦枠は方立４０で連結してある。
【００１８】
方立４０は図３、図４に示すように、方立本体５０と、方立ベース６０を備えている。
方立本体５０は、左右の上枠２２，３２の長手方向で、左右の縦枠２４，３４の見付け方向である左右方向に向かう室内側部材５１と、この室内側部材５１の左右方向中間に室内側に向けて設けた突出部５２とで横断面がほぼＴ字形状で、方立本体５０は縦枠２４，３４の長手方向全長に渡る長さである。
方立ベース６０は、上枠２２，３２と下枠２３，３３間の距離と同一の長さで、方立ベース６０は方立本体５０の突出部５２の室内側部に、上枠２２，３２と下枠２３，３３との間に位置してねじ７０で固定してある。
これにより、左右の縦枠２４，３４は方立本体５０と方立ベース６０とで挟持される。
【００１９】
方立ベース６０と左右に隣接した縦枠２４，３４の室内側部がねじ７１でそれぞれ固定してある。
ねじ７０とねじ７１は方立ベース６０の長手方向に同一位置で左右方向に間隔を置いて一直線状に配列し、ねじ７０、ねじ７１の方立ベース６０の長手方向の間隔（ピッチ）は同一である。
なお、方立ベース２０と縦枠２４，３４はねじ７１で固定しなくとも良い。
【００２０】
左右に隣接した縦枠２４と縦枠３４は、図４に示すように室内外側方向に向かう本体部２５，３５と、本体部２５，３５の室内側端に見付け方向の外側に向けて設けた室内側外向部２６，３６と、本体部２５，３５の室外側端に見付け方向の外側に向けて設けた室外側外向部２７，３７を有した同一断面形状である。
この実施の形態では、本体部２５，３５の室外側寄りに見付け方向の内側に開口したガラス装着用の凹部２８，３８を有している。
見付け方向の外側とは隣接した縦枠に向かう方向で、見付け方向の内側とは隣接した縦枠と反対側に向かう方向である。
【００２１】
方立本体５０の室内側部材５１はシール材５３を介して左右に隣接した縦枠２４，３４の室外側外向片２７，３７、つまり縦枠２４，３４の室外側面２４ａ，３４ａに接し、左右に隣接した縦枠２４，３４と方立本体５０の室外側部５１との間から雨水が浸入しないようにしている。
方立本体５０の突出部５２、好ましくは突出部５２の室内側寄りに係止受部５４を、長手方向全長に連続して有する。
例えば、突出部５２の室内側端部に左右方向に向かう基片５５を設け、この基片５５の端部に室外側に向けた係止受片５６を設けることで、室外側に向かう鉤形状の係止受部５４としてある。
【００２２】
方立ベース６０は、左右に隣接した縦枠２４，３４の室内側外向片２６，３６、つまり縦枠２４，３４の室内側面２４ｂ，３４ｂに接する取付面６１を有している。
方立ベース６０の取付面６１には、方立本体５０の係止受部５４と室内外側方向に係止することで、方立ベース６０が方立本体５０に対して室内側方向に動くことを規制する係止部６２が室外側に向けて設けてある。
例えば、取付面６１に室外側に向けう突出片６３を設け、突出片６３の突出端に左右方向に向かう係止片６４を設けて左右方向に向かう鉤形状の係止部６２としてある。
【００２３】
そして、係止部６２が被係止部５４に係止することで方立ベース６０の室内側方向への動きを規制する。
つまり、図５に示すように方立ベース６０の係止部６２の室内側面（係止片６４の室内側面６４ａ）が方立本体５０の係止受部５４の室外側面（係止受片５６の室外側面５６ａ）に接することで、方立ベース６０の室内側方向への動きを規制する。
【００２４】
このようであるから、火災時などで方立ベース６０が加熱により熱伸びし、波打ち状態に変形することを係止部６２と被係止部５４とで抑制でき、縦枠２４，３４の室内側面２４ｂ、３４ｂと方立ベース６０の取付面６１におけるねじ７１で固定していない部分が離れて隙間が生じ、貫通孔となることを抑制して防火性能を確保することができる。
【００２５】
しかも、方立ベース６０が受けた熱を縦枠２４，３４に放熱することができ、方立ベース６０が早期に溶けることがない。
【００２６】
さらに、方立本体５０と方立ベース６０を固定するねじ７０の方立ベース５０の長手方向の間隔、方立ベース６０と縦枠２４，３４の室内側部を固定するねじ７１の方立ベース５０の長手方向の間隔の大小には関係なく方立ベース６０の波打ち状態の変形を抑制できるので、ねじ７０、ねじ７１の方立ベース６０の長手方向の間隔を従来の連窓における間隔よりも小さくする必要がないので、施工コストが増加することがない。
【００２７】
この実施の形態では、方立本体５０の係止受部５４の室外側面（係止受片５６の室外側面５６ａ）と方立ベース６０の係止部６２の室内側面（係止片６４の室内側面６４ａ）とは通常時に室内外側方向に所定の寸法だけ離隔している。つまり、近接対向している。
この離隔寸法は、方立ベース６０が熱伸びにより波打ち状態に変形したときに、方立ベース６０の取付面６１と縦枠２４，３４の室内側面２４ｂ，３４ｂとの間に生じる隙間が防火性能に影響を及ぼさない値である。
例えば、離隔寸法は０．５ｍｍ〜２．０ｍｍである。
【００２８】
そして、火災時などで方立ベース６０が加熱により熱伸びし図３に仮想線で示すように波打ち状態に変形し、図６に示すように方立ベース６０の取付面６１におけるねじ７１で縦枠２４，３４の室内側部に固定しない部分が縦枠２４，３４の室内側面２４ｂ，３４ｂから前述の離隔寸法（０．５ｍｍ〜２．０ｍｍ）離れると、方立ベース６０の係止部６２の室内側面（係止片６４の室内側面６４ａ）が方立本体５０の係止受部５４の室外側面（係止受片５６の室外側面５６ａ）に接して方立ベース６０がそれ以上室内側方向に動くことを規制し、方立ベース６０が大きく波打ち状態の変形をしないようにしてある。
【００２９】
このようにすることで、左右の隣接した縦枠２４，３４相互を連結する際に、係止受部５４と係止部６２が干渉することなく、方立本体５０と方立ベース６０を容易に連結することができ、係止受部５４と係止部６２により方立本体５０と方立ベース６０を連結できないことがないと共に、施工性を阻害することもなく、従来と同様な施工性を確保できる。
つまり、係止受部５４の室外側面と係止部６２の室内側面が常に接触して係止受部５４と係止部６２を常に係止するようにしても良いが、そのようにした場合には、製作誤差や施工状況によっては係止受部５４と係止部６２が干渉して方立本体５０と方立ベース６０とを連結できないことがある。
【００３０】
例えば、方立４０で縦枠２４と縦枠３４を連結するには、方立本体５０の突出部５２を室外側から縦枠２４と縦枠３４との間に挿入し、方立ベース６０の係止部６２を室内側から縦枠２４と縦枠３４との間に挿入する。
この状態で方立本体５０と方立ベース６０一方又は両方を左右方向に動かして係止受部５４（基片５５と係止受片５６）を係止部６２（突出片６３）に当接することで、係止受部５４（係止受片５６）と係止部６２（係止片６４）を室内外側方向に相対向して方立本体５０と方立ベース６０を連結する。
このために、係止受部５４の室外側面（係止受片５６の室外側面５６ａ）と係止部６２の室内側面（係止片６４の室内側面６４ａ）との間に隙間がないと、前述のように方立本体５０と方立ベース６０を連結する際に係止受部５４と係止部６２が干渉し、方立本体５０と方立ベース６０を連結できないことがある。
【００３１】
この実施の形態では、方立ベース６０の係止部６２を、突出片６３と係止片６４とで左右方向に向かう鉤形状とし、方立本体５０の被係止部５４の左右方向に向かう面（基片５５、係止受片５６）を突出片６３に当接した状態で係止片６４の室内側面６４ａと被係止部５４の室外側面（係止受片５６の室外側面５６ａ）が室内外側方向に相対向するようにしたので、方立本体５０と方立ベース６０を連結するときに左右方向に位置決めでき、方立本体５０と方立ベース６０を簡単に連結できる。
【００３２】
方立ベース６０は、図４に示すように、左右方向に向かう室外側板６５と左右方向に向かう室内側板６６を室内外側方向に向かう一対の連結板６７，６７とで断面矩形で中空形状の長尺材より成る。
室外側板６５の室外側面が方立ベース６０の取付面６１で、その室外側板６５がねじ７０で方立本体５０の室内側部に固定され、さらに室外側板６５がねじ７１で縦枠２４，３４の室内側部（室内側外向部２６，３６）にそれぞれ固定される。
ねじ７０、ねじ７１を螺合するための穴が室内側板６６に形成してある。
【００３３】
図４において符号８０はカバーであり、方立ベース６０に取り付けることで、方立ベース６０を覆い、縦枠相互の連結部の室内側の見栄えを良くしている。
カバー８０は、表面板８１と一対の側面板８２とでコ字形状で、一対の側面板８２を方立ベース６０の一対の連結板６７にねじ８３で固定してある。
【００３４】
図７は第２の実施の形態を示す方立による左右の縦枠の連結部を示す横断面図で、左右に隣接した縦枠２４、縦枠３４に室内側に向かうアングル片２９，３９をそれぞれ設け、このアングル片２９，３９間にカバー８０を架設し、そのカバー８０とアングル片２９,９をねじ８４で固定してある。
このようにすれば、縦枠２４と縦枠３４がカバー８０で連結されるので、方立ベース６０と縦枠２４、縦枠３４をねじで固定しなくとも面内方向に動かないように連結できる。
【００３５】
つまり、縦枠２４、縦枠３４は、その室内側横向部２６，３６（室内側面２４ｂ，３４ｂ）に室内側に向かうアングル片２９，３９が本体部２５，３５と連続して設けてある。
カバー８０は、表面板８１と一対の側面板８２とでコ字形状で、一対の側面板８２をアングル片２９，３９間に挿入して架設し、アングル片２９，３９と一対の側面板８２をねじ８４でそれぞれ固定してある。
【００３６】
前述の各実施の形態では、方立本体５０の係止受部５４を基片５５と係止受片５６とで鉤形状としたが、基片５５のみで係止受部５４としても良い。
また、方立ベース６０を断面矩形で中空形状の長尺材としたが、断面コ字状の長尺材でも良いし、板状の長尺材としても良い。
また、係止受部５４、係止部６２は左右方向中央に１つ設けてあるが、左右方向に間隔を置いて複数設けても良い。
【符号の説明】
【００３７】
１０…連窓、１０ａ…一方の窓部、１０ｂ…他方の窓部、２０…窓枠、２４…縦枠、３０…窓枠、３４…縦枠、４０…方立、５０…方立本体、５１…室内側部材、５２…突出部、５４…係止受部、６０…方立ベース、６１…取付面、６２…係止部、６３…突出片、６４…係止片、７０…ねじ、７１…ねじ。
【図１】
2015063800.tif 000003
【図２】
2015063800.tif 000004
【図３】
2015063800.tif 000005
【図４】
2015063800.tif 000006
【図５】
2015063800.tif 000007
【図６】
2015063800.tif 000008
【図７】
2015063800.tif 000009